(57)【要約】【課題】放熱効果を損なうことなく、少ないネジを用いて多くのフレキシブル配線基板を実装する。【解決手段】プラズマディスプレイパネルの電極に印加する駆動電圧波形を発生するＩＣチップおよびＩＣチップの放熱を行う放熱板５５を有する複数のフレキシブル配線基板を備えたプラズマディスプレイ装置であって、フレキシブル配線基板は、放熱板５５の一方に第１のネジ穴５８を有し、放熱板の他方に所定高さの段差部５７を有するとともに段差部５７に第２のネジ穴５９を有し、隣接する２個のフレキシブル配線基板のうちの、一方のフレキシブル配線基板の放熱板５５の第１のネジ穴５８と他方のフレキシブル配線基板の放熱板５５の第２のネジ穴５９とを重ねて一つのネジ６８で共締めして、複数のフレキシブル配線基板を金属シャーシ４１に固定した。【選択図】図６Ａ
2012022020.tif 000002
【特許請求の範囲】
【請求項１】
プラズマディスプレイパネルと、前記プラズマディスプレイパネルの電極に印加する駆動電圧波形を発生するＩＣチップおよび前記ＩＣチップの放熱を行う放熱板を有する複数のフレキシブル配線基板と、前記プラズマディスプレイパネルと複数の前記フレキシブル配線基板とを支持する金属シャーシとを備えたプラズマディスプレイ装置であって、
前記フレキシブル配線基板は、前記放熱板の一方に第１のネジ穴を有し、前記放熱板の他方に所定高さの段差部を有するとともに前記段差部に第２のネジ穴を有し、
隣接する２個の前記フレキシブル配線基板のうちの、一方のフレキシブル配線基板の放熱板の第１のネジ穴と他方のフレキシブル配線基板の放熱板の第２のネジ穴とを重ねて一つのネジを用いて共締めすることにより、複数の前記フレキシブル配線基板を前記金属シャーシに固定したことを特徴とするプラズマディスプレイ装置。
【請求項２】
前記第１のネジ穴は円形であり、前記第２のネジ穴は長円形であることを特徴とする請求項１に記載のプラズマディスプレイ装置。
【請求項３】
プラズマディスプレイパネルと、前記プラズマディスプレイパネルの電極に印加する駆動電圧波形を発生するＩＣチップおよび前記ＩＣチップの放熱を行う放熱板を有する複数のフレキシブル配線基板と、前記プラズマディスプレイパネルと複数の前記フレキシブル配線基板とを支持する金属シャーシとを備えたプラズマディスプレイ装置であって、
前記フレキシブル配線基板は、前記放熱板の一方に第１の切欠き部を有し、前記放熱板の他方に第２の切欠き部を有し、
隣接する２個の前記フレキシブル配線基板のうちの、一方のフレキシブル配線基板の放熱板の第１の切欠き部と他方のフレキシブル配線基板の放熱板の第２の切欠き部とでネジ穴を構成して一つのネジを用いて共締めすることにより、複数の前記フレキシブル配線基板を前記金属シャーシに固定したことを特徴とするプラズマディスプレイ装置。
【請求項４】
プラズマディスプレイパネルと、前記プラズマディスプレイパネルの電極に印加する駆動電圧波形を発生するＩＣチップおよび前記ＩＣチップの放熱を行う放熱板を有する複数のフレキシブル配線基板と、前記プラズマディスプレイパネルと複数の前記フレキシブル配線基板とを支持する金属シャーシとを備えたプラズマディスプレイ装置であって、
前記フレキシブル配線基板は、前記放熱板の一方に第１のネジ穴を有し、前記放熱板の他方に第２のネジ穴を有し、
隣接する２個の前記フレキシブル配線基板のうちの、一方のフレキシブル配線基板の放熱板の第１のネジ穴と他方のフレキシブル配線基板の放熱板の第２のネジ穴とを重ねて一つのネジを用いて共締めすることにより、複数の前記フレキシブル配線基板を前記金属シャーシに固定したことを特徴とするプラズマディスプレイ装置。
【発明の詳細な説明】
【技術分野】
【０００１】
本発明は、プラズマディスプレイパネルを用いたプラズマディスプレイ装置に関する。
【背景技術】
【０００２】
画像表示パネルとして代表的なプラズマディスプレイパネル（以下、「パネル」と呼ぶ）を用いたプラズマディスプレイ装置は、視野角が広く大画面化が容易であり、かつ自発光型であり画像表示品質が高いことなどから大画面画像表示装置の主流となりつつある。
【０００３】
パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には例えば、キセノンを含む放電ガスが封入されている。ここで、表示電極とデータ電極との対向する部分に放電セルが形成される。
【０００４】
このようなパネルを用いてプラズマディスプレイ装置を構成するために、パネルには各電極に駆動電圧を印加するためのフレキシブル配線基板が接続される。特にデータ電極に駆動電圧を印加するためのデータ電極用のフレキシブル配線基板には、データ電極のそれぞれに印加する駆動電圧波形を発生するためのデータ電極駆動用のＩＣチップが搭載されている。データ電極用のフレキシブル配線基板には、ＩＣチップの出力とデータ電極とを接続するための出力端子、及びＩＣチップの入力と駆動回路部分とを接続するための入力端子が形成されており、出力端子はパネルのデータ電極の電極引出部のそれぞれに異方導電性接着剤などを介して電気的に接続される。
【０００５】
ここで、データ電極を駆動するＩＣチップは温度が高くなるので、熱抵抗が十分小さくなるように考慮して実装する必要がある。そのためデータ電極用のフレキシブル配線基板にはＩＣチップの放熱のための放熱板が取り付けられている。そしてこの放熱板は、例えば金属シャーシにネジ等を用いて取り付けられている（例えば、特許文献１参照）。
【先行技術文献】
【特許文献】
【０００６】
【特許文献１】特開２００５−３３８７０６号公報
【発明の概要】
【発明が解決しようとする課題】
【０００７】
近年、大画面・薄型ディスプレイは高精細化が進んでおり、低コスト・低消費電力・高輝度プラズマディスプレイ装置（１９２０×１０８０画素：プログレッシブ表示）が商品化された。しかし市場では更なる高精細化への要求が高まっている。
【０００８】
パネルを高精細化すると、放電セルの増加にともない表示電極の数およびデータ電極の数が増加するため、表示電極用のフレキシブル配線基板やデータ電極用のフレキシブル配線基板の数も増加する。フレキシブル配線基板が増加すると、フレキシブル配線基板の放熱板を金属シャーシに固定するためのネジも増加するため、ネジの締結工数やネジそのもののコストが増加し、プラズマディスプレイ装置のコストが高くなるという課題があった。
【０００９】
本発明は上記課題に鑑みなされたもので、放熱効果を損なうことなく、少ないネジを用いて多くのフレキシブル配線基板を実装したプラズマディスプレイ装置を提供することを目的とする。
【課題を解決するための手段】
【００１０】
上記目的を達成するために本発明は、パネルと、パネルの電極に印加する駆動電圧波形を発生するＩＣチップおよびＩＣチップの放熱を行う放熱板を有する複数のフレキシブル配線基板と、パネルと複数のフレキシブル配線基板とを支持する金属シャーシとを備えたプラズマディスプレイ装置であって、フレキシブル配線基板は、放熱板の一方に第１のネジ穴を有し、放熱板の他方に所定高さの段差部を有するとともに段差部に第２のネジ穴を有し、隣接する２個のフレキシブル配線基板のうちの、一方のフレキシブル配線基板の放熱板の第１のネジ穴と他方のフレキシブル配線基板の放熱板の第２のネジ穴とを重ねて一つのネジを用いて共締めすることにより、複数のフレキシブル配線基板を金属シャーシに固定したことを特徴とする。この構成により、放熱効果を損なうことなく、少ないネジを用いて多くのフレキシブル配線基板を実装したプラズマディスプレイ装置を提供することができる。
【００１１】
また本発明のフレキシブル配線基板の放熱板の第１のネジ穴は円形であり、第２のネジ穴は長円形であってもよい。
【００１２】
また本発明は、パネルと、パネルの電極に印加する駆動電圧波形を発生するＩＣチップおよびＩＣチップの放熱を行う放熱板を有する複数のフレキシブル配線基板と、パネルと複数のフレキシブル配線基板とを支持する金属シャーシとを備えたプラズマディスプレイ装置であって、フレキシブル配線基板は、放熱板の一方に第１の切欠き部を有し、放熱板の他方に第２の切欠き部を有し、隣接する２個のフレキシブル配線基板のうちの、一方のフレキシブル配線基板の放熱板の第１の切欠き部と他方のフレキシブル配線基板の放熱板の第２の切欠き部とでネジ穴を構成して一つのネジを用いて共締めすることにより、複数のフレキシブル配線基板を金属シャーシに固定したことを特徴とする。この構成によっても、放熱効果を損なうことなく、少ないネジを用いて多くのフレキシブル配線基板を実装したプラズマディスプレイ装置を提供することができる。
【００１３】
また本発明は、パネルと、パネルの電極に印加する駆動電圧波形を発生するＩＣチップおよびＩＣチップの放熱を行う放熱板を有する複数のフレキシブル配線基板と、パネルと複数のフレキシブル配線基板とを支持する金属シャーシとを備えたプラズマディスプレイ装置であって、フレキシブル配線基板は、放熱板の一方に第１のネジ穴を有し、放熱板の他方に第２のネジ穴を有し、隣接する２個のフレキシブル配線基板のうちの、一方のフレキシブル配線基板の放熱板の第１のネジ穴と他方のフレキシブル配線基板の放熱板の第２のネジ穴とを重ねて一つのネジを用いて共締めすることにより、複数のフレキシブル配線基板を金属シャーシに固定したことを特徴とする。この構成によっても、放熱効果を損なうことなく、少ないネジを用いて多くのフレキシブル配線基板を実装したプラズマディスプレイ装置を提供することができる。
【発明の効果】
【００１４】
本発明によれば、放熱効果を損なうことなく、少ないネジを用いて多くのフレキシブル配線基板を実装したプラズマディスプレイ装置を提供することが可能となる。
【図面の簡単な説明】
【００１５】
【図１】本発明の実施の形態１におけるプラズマディスプレイ装置に用いるパネルの分解斜視図である。
【図２】同パネルの電極配列図である。
【図３Ａ】同パネルの外観を模式的に示す平面図である。
【図３Ｂ】同パネルの外観を模式的に示す平面図である。
【図４】本発明の実施の形態１におけるプラズマディスプレイ装置の構成を示す分解斜視図である。
【図５Ａ】本発明の実施の形態１におけるプラズマディスプレイ装置のフレキシブル配線基板の形状を示す３面図である。
【図５Ｂ】同フレキシブル配線基板の形状を示す斜視図である。
【図６Ａ】同フレキシブル配線基板の取り付け構造を示す２面図である。
【図６Ｂ】同フレキシブル配線基板の取り付け構造を示す斜視図である。
【図７】本発明の実施の形態２におけるプラズマディスプレイ装置のフレキシブル配線基板の形状を示す３面図である。
【図８】同フレキシブル配線基板を金属シャーシに取り付ける様子を示す斜視図である。
【図９Ａ】同フレキシブル配線基板の取り付け構造を示す２面図である。
【図９Ｂ】同フレキシブル配線基板の取り付け構造を示す斜視図である。
【図１０】本発明の実施の形態３におけるプラズマディスプレイ装置のフレキシブル配線基板の形状を示す３面図である。
【図１１Ａ】同フレキシブル配線基板の取り付け構造を示す２面図である。
【図１１Ｂ】同フレキシブル配線基板の取り付け構造を示す斜視図である。
【発明を実施するための形態】
【００１６】
以下、本発明の一実施の形態によるプラズマディスプレイ装置について、図面を用いて説明する。
【００１７】
（実施の形態１）
図１は、本発明の実施の形態１におけるプラズマディスプレイ装置に用いるパネル１０の分解斜視図である。パネル１０は、ガラス製の前面基板２１と背面基板３１とを対向配置して、その間に放電空間を形成するように構成されている。前面基板２１上には表示電極を構成する走査電極２２と維持電極２３とが互いに平行に対をなして複数形成されている。そして、走査電極２２、及び維持電極２３を覆うように誘電体層２５が形成され、誘電体層２５上には保護層２６が形成されている。また、背面基板３１上には複数のデータ電極３２が形成され、そのデータ電極３２を覆うように誘電体層３３が形成されている。誘電体層３３上には井桁状の隔壁３４が設けられている。また、誘電体層３３の表面、及び隔壁３４の側面に蛍光体層３５が設けられている。そして、走査電極２２、及び維持電極２３とデータ電極３２とが交差する方向に前面基板２１と背面基板３１とを対向配置しており、その間に形成される放電空間には、放電ガスとして、例えばネオンとキセノンの混合ガスが封入されている。なお、パネル１０の構造は上述したものに限られるわけではなく、例えばストライプ上の隔壁を備えたものであってもよい。
【００１８】
図２は、本発明の実施の形態１におけるプラズマディスプレイ装置に用いるパネル１０の電極配列図である。行方向に長いｎ本の走査電極２２、及びｎ本の維持電極２３が配列され、列方向に長いｍ本のデータ電極３２が配列されている。そして、１対の走査電極２２、及び維持電極２３と一つのデータ電極３２とが交差した部分に放電セルが形成され、放電セルは放電空間内にｍ×ｎ個形成されている。本実施の形態における高精細度パネルは、例えば画面サイズが５８インチ、３８４０×２１６０画素であり、赤、緑、青のそれぞれの色に発光する３個の放電セルで１画素が構成されるので、ｍ＝１１５２０、ｎ＝２１６０である。
【００１９】
図３Ａおよび図３Ｂは、本発明の実施の形態１におけるプラズマディスプレイ装置に用いるパネル１０の外観を模式的に示す平面図であり、図３Ａは背面基板３１側から見た図、図３Ｂは前面基板２１側から見た図である。パネル１０の前面基板２１、及び背面基板３１は矩形状であり、長辺と短辺を有している。前面基板２１の短辺左側には走査電極２２用の電極引出部２２ａが形成されている。電極引出部２２ａのそれぞれはｎ本の走査電極２２のそれぞれに接続されている。また、前面基板２１の短辺右側には維持電極２３用の電極引出部２３ａが形成されている。電極引出部２３ａのそれぞれはｎ本の維持電極２３のそれぞれに接続されている。この電極引出部２２ａ、２３ａはそれぞれ複数のブロックに分かれており、各々のブロックには走査電極２２用のフレキシブル配線基板、及び維持電極２３用のフレキシブル配線基板が接続される。
【００２０】
また、背面基板３１の長辺側にはデータ電極３２用の電極引出部３２ａが形成されている。電極引出部３２ａのそれぞれはｍ本のデータ電極３２のそれぞれに接続されている。この電極引出部３２ａも複数のブロックに分かれており、各々のブロックにはデータ電極３２を駆動するためのフレキシブル配線基板が接続される。
【００２１】
なお、図３Ｂには、背面基板３１の長辺側の上部と下部との両方にデータ電極３２用の電極引出部３２ａが形成されているパネルの図を示した。しかし本発明は上記に限定されるものではなく、背面基板３１の長辺側の上部のみに電極引出部３２ａが形成されていてもよく、また背面基板３１の長辺側の下のみに電極引出部３２ａが形成されていてもよい。
【００２２】
図４は、本発明の実施の形態１におけるプラズマディスプレイ装置の構成を示す分解斜視図である。プラズマディスプレイ装置はパネル１０、金属シャーシ４１、熱伝導性シート４２、駆動回路基板を有し、これらが前面枠４３およびバックカバー４４が構成する筐体内部に収納されている。金属シャーシ４１とパネル１０とは熱伝導性シート４２を介して熱的に接続されている。金属シャーシ４１の上には駆動回路基板や電源回路ブロック等が載置されている。なお、図面を煩雑にしないために、駆動回路基板の一部（図４には駆動回路基板４７と表示）のみを図示している。パネル１０の電極引出部３２ａには、データ電極３２に印加する駆動電圧波形を発生するＩＣチップ、およびＩＣチップの放熱を行う放熱板を有するフレキシブル配線基板５０（以下、「データモジュール５０」と略称する。）が取り付けられ、コネクタ４８を介して駆動回路基板４７に接続されている。このように、金属シャーシ４１はパネル１０と複数のデータモジュール５０とを支持している。
【００２３】
なお、図４には、パネル１０の長辺側の上部と下部との両方にデータモジュール５０が取り付けられた図を示した。しかしパネル１０の長辺側の上部のみに電極引出部３２ａが形成されている場合には、パネル１０の長辺側の上部のみにデータモジュール５０が取り付けられ、パネル１０の長辺側の下部のみに電極引出部３２ａが形成されている場合には、パネル１０の長辺側の下部のみにデータモジュール５０が取り付けられている。
【００２４】
図５Ａおよび図５Ｂは、本発明の実施の形態１におけるプラズマディスプレイ装置のデータモジュール５０の形状を示す図であり、図５Ａは３面図、図５Ｂは斜視図である。
【００２５】
データモジュール５０は、フレキシブルな屈曲性を有するポリイミド樹脂フィルム等のフィルム５１にデータ電極３２を駆動するためのＩＣチップが搭載されている。そしてＩＣチップを覆うようにエポキシ樹脂等の樹脂５２を充填し、機械的なダメージからＩＣチップを保護している。
【００２６】
また、フィルム５１の一方にはＩＣチップの出力部に接続された複数の出力端子５３が形成されている。この出力端子５３は、パネル１０のデータ電極用の電極引出部３２ａのそれぞれに異方導電性接着材等を用いて接続するためのものである。フィルム５１のもう一方にはＩＣチップの入力部に接続された入力端子５４が形成されている。この入力端子５４は、駆動回路基板４７のコネクタ４８に接続するためのものである。
【００２７】
また、フィルム５１の樹脂５２が塗布された面の反対側にはＩＣチップの放熱のための放熱板５５が耐熱性の両面接着テープ等により接着されている。放熱板５５には凹部が設けられており、その凹部にＩＣチップが配置されている（図示せず）。また放熱板５５には放熱板５５の厚みと等しい高さの段差部５７が設けられている。すなわち放熱板５５は、ＩＣチップが配置された凹部を有しかつフィルム５１に接着された第１の平板状の部分と、その平板上の部分に平行であって段差部５７を形成する第２の平板状の部分とを有する形状である。さらに放熱板５５にはデータモジュール５０を固定するための第１のネジ穴５８、第２のネジ穴５９が設けられている。ここでネジ穴５８は円形状であるが、段差部５７に設けられたネジ穴５９は長円形状である。
【００２８】
このように本実施の形態におけるデータモジュール（フレキシブル配線基板）５０は、放熱板５５の一方の端部に第１のネジ穴５８を有し、放熱板５５の他方の端部に所定高さの段差部５７を有するとともに段差部５７に第２のネジ穴５９を有する。また第１のネジ穴５８は円形であり、第２のネジ穴５９は長円形である形状である。
【００２９】
本実施の形態におけるプラズマディスプレイ装置は、金属シャーシ４１の長辺側上部および下部にそれぞれ３０個ずつ、合計６０個のデータモジュール５０が取り付けられている。
【００３０】
図６Ａおよび図６Ｂは、本発明の実施の形態１におけるプラズマディスプレイ装置のデータモジュール５０の取り付け構造を示す図であり、図６Ａは２面図、図６Ｂは斜視図である。
【００３１】
金属シャーシ４１にはデータモジュール５０を固定するためのボス６１が設けられている。データモジュール５０は、放熱板５５に設けられた円形状のネジ穴５８をボス６１に位置あわせするとともに、放熱板５５の段差部５７に設けられた長円形状のネジ穴５９を、隣接するデータモジュール５０の円形状のネジ穴５８を介して隣接するボス６１に位置合わせして、ネジ６８で固定する。このようにして、隣接する２個のデータモジュール５０の放熱板５５を１個のネジ６８で共締めして固定する。
【００３２】
このとき段差部５７に設けられたネジ穴５９が長円形状であるので、隣接するボス６１の間隔が一定でなくても隣接する２個のデータモジュールの放熱板５５を１個のネジ６８で共締めすることができる。言い換えると、ネジ穴５８とネジ穴５９との間隔は、ネジ穴５９の長円形の長さの裕度があるため、隣接するボス６１の間隔にも同様の長さの設計裕度が生じる。そのため、ボス６１の間隔が異なるプラズマディスプレイ装置であっても、同一仕様のデータモジュール５０を用いることができる。
【００３３】
なお、駆動回路基板４７も金属シャーシ４１に設けられたボス６２に固定されている。そしてデータモジュール５０の入力端子５４は駆動回路基板４７のコネクタ４８に接続され、出力端子５３はパネル１０の電極引出部３２ａのそれぞれに異方導電性接着材等を用いて接続される。
【００３４】
このように本実施の形態においては、隣接する２個のデータモジュール（フレキシブル配線基板）５０のうちの、一方のデータモジュール５０の放熱板５５の第１のネジ穴５８と他方のデータモジュール５０の放熱板５５の第２のネジ穴５９とを重ねて一つのネジ６８を用いて共締めすることにより、複数のデータモジュール５０を金属シャーシ４１に固定した。これにより、データモジュール５０を取り付けるネジの数を削減することができ、ネジそのもののコスト、およびネジを締結する工数を削減することができる。本実施の形態におけるプラズマディスプレイ装置は、金属シャーシ４１の長辺側上部および下部に６０個のデータモジュール５０を取り付けるために必要なネジの本数は６２個である。これは、データモジュール１個あたり２本のネジを用いて取り付けるために必要なネジの約半分である。
【００３５】
さらに隣接するデータモジュール５０の放熱板５５と段差部５７とを重ねて共締めすることにより、放熱板５５間の熱抵抗を小さくすることができる。そのため特定のデータモジュール５０の消費電力が大きくなった場合でも、隣接するデータモジュール５０の放熱板５５を利用して効率よく放熱することができる。
【００３６】
加えて、データモジュール５０の消費電力が大きくなる場合には、放熱板５５の段差部５７の長さを伸ばすことにより放熱板５５の面積を広げることができるので、取り付け構造を変えることなくデータモジュール５０の放熱効果を大きくすることができる。
【００３７】
本実施の形態においては、隣接するボス６１の間隔が一定でなくても、隣接する２個の同一仕様のデータモジュール５０の放熱板を１個のネジ６８で共締めできるように、データモジュール５０の放熱板５５に段差部５７を設け、さらにネジ穴５９を長円形状とした。しかし隣接するボス６１の間隔に応じた仕様の放熱板を用いるのであれば、データモジュールの放熱板５５の形状を簡素化することができる。以下にその一例について説明する。
【００３８】
（実施の形態２）
図７は、本発明の実施の形態２におけるプラズマディスプレイ装置のデータ電極３２用のフレキシブル配線基板７０（以下、「データモジュール７０」と略称する。）の形状を示す３面図である。実施の形態１と同一の構成要素に対しては同一の符号を付して説明を省略する。
【００３９】
データモジュール７０のフィルム５１の樹脂５２が塗布された面の反対側にはＩＣチップの放熱のための放熱板７５が耐熱性の両面接着テープ等により接着されている。放熱板７５にはデータモジュール７０を固定するための第１の切欠き部７８、第２の切欠き部７９が設けられている。ここで切欠き部７８、７９は半円形状である。
【００４０】
このように本実施の形態におけるデータモジュール（フレキシブル配線基板）７０は、放熱板７５の一方の端部に第１の切欠き部７８を有し、放熱板７５の他方の端部に第２の切欠き部７９を有する。
【００４１】
図８は、本発明の実施の形態２におけるプラズマディスプレイ装置のデータモジュール７０を金属シャーシ４１に取り付ける様子を示す斜視図である。実施の形態２においても実施の形態１と同様に、金属シャーシ４１にデータモジュール７０を固定するためのボス６５が設けられている。しかしボス６５は実施の形態１におけるボス６１と異なり、放熱板７５の厚みを超えない高さの突起６６がボス６５の天面に形成されている。
【００４２】
データモジュール７０を金属シャーシ４１に取り付けるには、隣り合う２個のデータモジュール７０の放熱板７５の切欠き部７８と切欠き部７９とを、ボス６５の突起６６に勘合するように位置合わせする。そして、ネジ６８を用いて、隣接する２個のデータモジュール７０の放熱板７５を１個のネジ６８で共締めする。
【００４３】
図９Ａおよび図９Ｂは、本発明の実施の形態２におけるプラズマディスプレイ装置のデータモジュール７０の取り付け構造を示す図であり、図９Ａは２面図、図９Ｂは斜視図である。
【００４４】
上述したように、金属シャーシ４１には、天面に突起６６を有するボス６５が設けられている。そして放熱板７５の切欠き部７８と切欠き部７９とがボス６５の突起６６に勘合するように、隣り合う２個のデータモジュール７０を位置合わせする。そしてこの隣接する２個のデータモジュール７０の放熱板７５を１個のネジ６８で共締めする。
【００４５】
なお、駆動回路基板４７も金属シャーシ４１に設けられたボス６２に固定されている。そしてデータモジュール７０の入力端子５４は駆動回路基板４７のコネクタ４８に接続され、出力端子５３はパネル１０の電極引出部３２ａのそれぞれに異方導電性接着材等を用いて接続される。
【００４６】
このように実施の形態２においても、隣接する２個のデータモジュール（フレキシブル配線基板）７０のうちの、一方のデータモジュール７０の放熱板７５の第１の切欠き部７８と他方のデータモジュール７０の放熱板７５の第２の切欠き部７９とでネジ穴を構成して一つのネジ６８を用いて共締めすることにより、複数のデータモジュール７０を金属シャーシ４１に固定した。これにより、データモジュール７０を取り付けるネジの数を半減することができる。
【００４７】
（実施の形態３）
図１０は、本発明の実施の形態３におけるプラズマディスプレイ装置のデータ電極３２用のフレキシブル配線基板８０（以下、「データモジュール８０」と略称する。）の形状を示す３面図である。実施の形態１と同一の構成要素に対しては同一の符号を付して説明を省略する。
【００４８】
データモジュール８０のフィルム５１の樹脂５２が塗布された面の反対側にはＩＣチップの放熱のための放熱板８５が耐熱性の両面接着テープ等により接着されている。放熱板８５にはデータモジュール８０を固定するための第１のネジ穴８８、第２のネジ穴８９が設けられている。ここで第１のネジ穴８８および第２のネジ穴８９は円形状である。
【００４９】
このように本実施の形態におけるデータモジュール（フレキシブル配線基板）８０は、放熱板８５の一方の端部に第１のネジ穴８８を有し、放熱板８５の他方の端部に第２のネジ穴５９を有する。
【００５０】
図１１Ａおよび図１１Ｂは、本発明の実施の形態３におけるプラズマディスプレイ装置のデータモジュール８０の取り付け構造を示す図であり、図１１Ａは２面図、図１１Ｂは斜視図である。実施の形態３においても実施の形態１と同様に、金属シャーシ４１にデータモジュール８０を固定するためのボス６１が設けられている。
【００５１】
データモジュール８０を金属シャーシ４１に取り付けるには、隣接する２個のデータモジュール８０の放熱板８５のネジ穴８８とネジ穴８９とを重ねて、ボス６１に位置合わせする。そして、ネジ６８を用いて、隣接する２個のデータモジュール８０の放熱板８５を１個のネジ６８で共締めする。
【００５２】
上述したように、隣接する２個のデータモジュール８０の放熱板８５のネジ穴８８とネジ穴８９とを重ねるため、奇数番目のデータモジュール８０と偶数番目のデータモジュール８０とは段差が生じる。しかし隣接するデータモジュール８０の放熱板８５の一部を重ねて共締めすることにより、隣接する放熱板８５間の熱抵抗を小さくすることができる。そのため特定のデータモジュール８０の消費電力が大きくなった場合でも、隣接するデータモジュール８０の放熱板８５を利用して効率よく放熱することができる。
【００５３】
なお、駆動回路基板４７も金属シャーシ４１に設けられたボス６２に固定されている。そしてデータモジュール８０の入力端子５４は駆動回路基板４７のコネクタ４８に接続され、出力端子５３はパネル１０の電極引出部３２ａのそれぞれに異方導電性接着材等を用いて接続される。
【００５４】
このように実施の形態３においても、隣接する２個のデータモジュール（フレキシブル配線基板）８０のうちの、一方のデータモジュール８０の放熱板８５の第１のネジ穴８８と他方のデータモジュール８０の放熱板８５の第２のネジ穴８９とを重ねて一つのネジ６８を用いて共締めすることにより、複数のデータモジュール８０を金属シャーシ４１に固定した。これにより、データモジュール８０を取り付けるネジの数を半減することができる。
【００５５】
なお実施の形態１〜３において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００５６】
本発明は、放熱効果を損なうことなく、少ないネジを用いて多くのフレキシブル配線基板を実装することができるので、高精細のプラズマディスプレイ装置として有用である。
【符号の説明】
【００５７】
１０    パネル
２２    走査電極
２３    維持電極
３２    データ電極
２２ａ，２３ａ，３２ａ    電極引出部
４１    金属シャーシ
４２    熱伝導性シート
４３    前面枠
４４    バックカバー
４７    駆動回路基板
４８    コネクタ
５０，７０，８０    データモジュール
５１    フィルム
５２    樹脂
５３    出力端子
５４    入力端子
５５，７５，８５    放熱板
５７    段差部
５８，５９，８８，８９    ネジ穴
６１，６２，６５    ボス
６６    突起
６８    ネジ
７８，７９    切欠き部
２１    前面基板
３１    背面基板
３４    隔壁
３５    蛍光体層
２６    保護層
２５，３３    誘電体層
【図１】
2012022020.tif 000003
【図２】
2012022020.tif 000004
【図３Ａ】
2012022020.tif 000005
【図３Ｂ】
2012022020.tif 000006
【図４】
2012022020.tif 000007
【図５Ａ】
2012022020.tif 000008
【図５Ｂ】
2012022020.tif 000009
【図６Ａ】
2012022020.tif 000010
【図６Ｂ】
2012022020.tif 000011
【図７】
2012022020.tif 000012
【図８】
2012022020.tif 000013
【図９Ａ】
2012022020.tif 000014
【図９Ｂ】
2012022020.tif 000015
【図１０】
2012022020.tif 000016
【図１１Ａ】
2012022020.tif 000017
【図１１Ｂ】
2012022020.tif 000018